(57)【特許請求の範囲】
【請求項１】
筐体の開口部を開閉する扉の施解錠用のラッチハンドル装置において、
指先挿入用凹部を有し、その凹部の開口を手前にして前記扉の戸先側端部の外表面に露出する取り付けとされる角形のケースと、そのケースの凹部周壁の対向位置に形成された一対の前後方向に長い長孔に両端部がスライド自在に挿入された支点軸と、その支点軸を中心にして前記ケースの凹部開口を閉塞する施錠位置から外部に引き出された解錠位置との間で揺動可能な板状のハンドルと、前記支点軸を中心に揺動可能とされ、前記ケースの凹部底壁に形成されたラッチ挿入孔から外部に臨む先端部に前記筐体の開口部周囲に取り付けられたラッチ受け具に対して係脱可能な鉤部が設けられたラッチと、そのラッチを係合方向に向けて付勢する弾性部材とからなり、前記ハンドルの揺動中心側の側部に、施錠位置に向けてのハンドルの揺動時に、ケースの凹部底壁に先端部が摺動しつつ押圧するカムレバーを設けたことを特徴とするラッチハンドル装置。
【請求項２】
前記カムレバーの先端部に回転可能なローラを設けた請求項１に記載のラッチハンドル装置。
【発明の詳細な説明】
【技術分野】
【０００１】
この発明は、開口部を開閉する扉の施解錠用ラッチハンドル装置に関する。
【背景技術】
【０００２】
温度や湿度、圧力等のさまざまな環境の中で素材がどのようになるかを検査する環境検査機においては、筐体内の環境を維持するため、開口部を開閉する扉の閉鎖状態で極めて高い密閉性が要求される。
【０００３】
このため、環境検査機においては、筐体の開口部における戸当たり面にパッキンを取り付け、扉の閉鎖時、そのパッキンを圧縮変形させ、扉に対するパッキンの密着力を高めてシール性を確保することが行われている。
【０００４】
ここで、環境検査機においては、ラッチハンドル装置によって扉を開閉操作し、筐体の開口部周囲に設けられたラッチ受け具に対するラッチの係合によって扉を閉鎖状態に維持する場合が多くある。
【０００５】
上記ラッチハンドル装置として、下記特許文献１に記載されたものが従来から知られている。その特許文献１に記載されたラッチハンドル装置においては、扉に取り付けられるエスカッションにハンドルを揺動自在に取り付け、そのハンドルの揺動側の先端部において上記エスカッションにラッチ部材を揺動自在に設け、上記ハンドルの先端部に設けられた駆動アームの先端部に長孔を形成し、その長孔内にラッチ部材に設けられた受動軸を挿入して、ハンドルの揺動に連動してラッチ部材を揺動させ、そのラッチ部材を筐体側に設けられたラッチ受け具としてのストライカに対して係脱し、係合によって扉を閉鎖状態に維持するようにしている。
【０００６】
上記ラッチハンドル装置においては、扉に埋め込む取り付けであるため、扉の表面からのハンドルの出っ張り量が少なく、ハンドルが障害物になることがないという特徴を有している。
【先行技術文献】
【特許文献】
【０００７】
【特許文献１】特開２０１２−２０２１２８号公報
【発明の概要】
【発明が解決しようとする課題】
【０００８】
ところで、上記従来のラッチハンドル装置においては、扉をストライカに対するラッチ部材の係合時、扉を筐体側に引き寄せる機能を有していないため、パッキンが扉で十分に圧縮される位置にラッチ受け具を取り付ける必要が生じる。このため、扉を閉鎖する際、その扉でパッキンを圧縮変形させて密封性を得る必要が生じ、扉の閉鎖に大きな力を要するという不都合がある。
【０００９】
この発明の課題は、閉鎖状態とした扉の施錠時に、その扉を筐体側に引き寄せることができるようにしたラッチハンドル装置を提供することである。
【課題を解決するための手段】
【００１０】
上記の課題を解決するため、この発明においては、筐体の開口部を開閉する扉の施解錠用のラッチハンドル装置において、指先挿入用凹部を有し、その凹部の開口を手前にして前記扉の戸先側端部の外表面に露出する取り付けとされる角形のケースと、そのケースの凹部周壁の対向位置に形成された一対の前後方向に長い長孔に両端部がスライド自在に挿入された支点軸と、その支点軸を中心にして前記ケースの凹部開口を閉塞する施錠位置から外部に引き出された解錠位置との間で揺動可能な板状のハンドルと、前記支点軸を中心に揺動可能とされ、前記ケースの凹部底壁に形成されたラッチ挿入孔から外部に臨む先端部に前記筐体の開口部周囲に取り付けられたラッチ受け具に対して係脱可能な鉤部が設けられたラッチと、そのラッチを係合方向に向けて付勢する弾性部材とからなり、前記ハンドルの揺動中心側の側部に、施錠位置に向けてのハンドルの揺動時に、ケースの凹部底壁に先端部が摺動しつつ押圧するカムレバーを設けた構成を採用したのである。
【００１１】
上記の構成からなるラッチハンドル装置において、扉が開放位置に位置する状態では、カムレバーの先端が凹部の底壁に当接し、ハンドルは外部に引き出された引き寄せ解除状態にある。また、支点軸は長孔の奥側端部に当接し、ラッチは鉤部がラッチ受け具に係合可能な係合待機位置に配置されている。
【００１２】
上記のような扉の開放状態から、その扉を筐体側に向けて揺動して筐体の開口部を閉じる閉鎖位置まで揺動させると、その閉鎖位置に至る少し手前の位置でラッチの鉤部がラッチ受け具の係合片に当接し、ラッチが弾性部材の弾性に抗して支点軸を中心にラッチ受け具から離反する方向に向けて揺動する。そして、鉤部が係合片の位置を通過すると、ラッチが弾性部材の復元弾性によりラッチ受け具に向けて揺動し、鉤部がラッチ受け具の係合片に係合して、扉は閉鎖状態とされる。
【００１３】
扉の閉鎖状態において、引き寄せ解除位置に位置するハンドルの揺動側端部を扉に向けて押圧して、ハンドルを施錠位置に向けて揺動させると、カムレバーの先端がケースの凹部の底壁内面に沿って摺動しつつ底壁を押圧し、その押圧によって扉の戸先側端部が筐体に向けて引き込まれ、ケースに設けられた長孔の手前側の端部が支点軸に向けて移動して、扉の引き込みが阻害されるようなことはない。
【００１４】
このように、引き寄せ解除位置に位置するハンドルを施錠位置に向けて揺動させることによって扉を筐体側に引き寄せることができるため、筐体の開口部周囲にパッキンを設けておくことにより、パッキンが扉で押圧されて圧縮変形し、扉の内面に強く接触して扉との間でシール性が確保される。
【００１５】
ここで、カムレバーの先端部に回転可能なローラを設けておくと、ローラがケースの凹部の底壁内面に沿って転がり移動しつつ底壁内面を押圧するため、解錠位置のハンドルを施錠位置に向けてスムーズに変位させることができる。
【発明の効果】
【００１６】
この発明においては、以上のように、扉を閉鎖位置に揺動させた状態で引き寄せ解除位置に位置するハンドルを施錠位置に向けて揺動させることにより、扉に筐体側に向けての引き寄せ力を負荷することができるため、扉を閉鎖する際、その扉でパッキンを圧縮変形させる必要がなくなり、扉を軽い力で閉鎖させることができる。
【図面の簡単な説明】
【００１７】
【図１】この発明に係るラッチハンドル装置の一部切欠正面図
【図２】図１のII−II線に沿った断面図
【図３】図１のIII−III線に沿った状態での一部切欠断面図
【図４】図１のIV−IV線に沿った断面図
【図５】ハンドルが引き寄せ解除位置に位置する状態での支点軸の位置を示す一部切欠平面図
【図６】ハンドルが引き寄せ解除位置に位置する状態でのラッチの係合状態を示す断面図
【図７】ラッチの係合解除状態を示す断面図
【図８】ラッチハンドル装置の形成部品を示す分解斜視図
【発明を実施するための形態】
【００１８】
以下、この発明の実施の形態を図面に基づいて説明する。図１乃至図４に示すように、筐体１の開口部２は、揺動可能に支持された扉３によって開閉自在とされ、その開口部２の戸当りとなる周面にはパッキン４が取り付けられている。また、開口部２の周面には、扉３の戸先側端部と対向する位置にラッチ受け具５が取り付けられている。一方、扉３の戸先側端部には、上記ラッチ受け具５に係脱されるラッチハンドル装置１０が設けられている。
【００１９】
ラッチハンドル装置１０は、ブラケット１１およびそのブラケット１１にねじ止めされたケース１４を有する。図２に示すように、ブラケット１１は、支持板部１２の上下対向辺に一対の折曲げ片１３を設けたコの字状をなしている。このブラケット１１は、扉３の戸先側端部の外表面に形成される切欠部６内に組み込まれ、その切欠部６の閉塞端にねじ込まれる複数のねじによって扉３に固定される。
【００２０】
図８に示すように、ケース１４は、底板１５の外周に周壁１６を設け、その周壁１６の開口端に外向きにフランジ１７を形成した角形をなし、底部には、図２および図３に示すように、ブラケット１１にねじ止めされる複数の脚部１８が設けられている。
【００２１】
また、ケース１４の凹部は、仕切り板１９の形成によって指先挿入用の凹部２０とラッチ組込み用の凹部２１とに区画されている。
【００２２】
上記ケース１４は、脚部１８がブラケット１１にねじ止めされる状態において、そのブラケット１１と共に扉３に形成された切欠部６内に挿入され、各凹部２０，２１の開口部が手前に位置し、フランジ１７が扉３の外表面に衝合する取り付けとされる。
【００２３】
ケース１４におけるラッチ組込み用凹部２１の上壁および下壁には上下で対向するようにして一対の長孔２２が設けられている。長孔２２は、凹部２１の開口側に一端が有し、他端が底壁側に位置するようにして前後方向に向けて長く延び、その長孔２２内に支点軸２３の両端部がスライド自在に挿入されている。
【００２４】
図２および図４に示すように、支点軸２３にはハンドル２４が揺動自在に支持されている。ハンドル２４はケース１４の周壁１６内に嵌合可能な大きさの板状をなし、その一側部が支点軸２３で支持されて指先挿入用凹部２０およびラッチ組込み用凹部２１の開口を閉じる位置が施錠位置とされている。また、図７に示すように、ケース１４の開口部から外部に引き出された位置が解錠位置とされ、その解錠位置と施錠位置との間で揺動可能とされている。
【００２５】
図５および図８に示すように、ハンドル２４の揺動中心側の一側には一対のカムレバー２５が上下対向位置に設けられている。カムレバー２５は対向一対のレバー片２６からなり、そのレバー片２６はハンドル２４に対して直交する方向に延び、その先端部間にローラ２７が組み込まれて回転自在に支持されている。
【００２６】
ローラ２７は、施錠位置のハンドル２４を外部に引き出して解錠位置に至る少し手前の位置でラッチ組込み用凹部２１の底壁に当接する。その当接状態でのハンドル２４の位置が引き寄せ解除位置とされている。
【００２７】
ハンドル２４の引き寄せ解除位置において、支点軸２３は長孔２２の奥側の端部に当接しており、引き寄せ解除位置の上記ハンドル２４を施錠位置に向けて押し込み揺動させると、ローラ２７がラッチ組込み用凹部２１の底壁に沿って転がり移動しつつ押圧し、その押圧により扉３が筐体１側に押し込まれ、換言すれば、扉３が筐体１側に引き込まれ、長孔２２の手前側の端部が支点軸２３に向けて移動して、扉３が引き込まれるのを許容する。
【００２８】
ここで、ローラ２７の回転中心と支点軸２３の軸心を結ぶ直線Ｌのハンドル２４に対する交差角αは９０°を超える大きさとされおり、その交差角αの大きさから上記支点軸２３を長孔２２の端部まで移動することによって、ハンドル２４は施錠位置で保持される。
【００２９】
図４に示すように、支点軸２３にはラッチ２８の一端部が支持され、その支点軸２３を中心にしてラッチ２８が揺動自在とされている。ラッチ２８はラッチ組込み用凹部２１の底壁に形成されたラッチ挿入孔３０およびブラケット１１に形成された切欠部３１に挿通され、上記切欠部３１から外部に臨む先端部にラッチ受け具５に設けられた係合片部５ａに対して係脱可能な鉤部２９が設けられている。
【００３０】
ラッチ２８は、支点軸２３に支持された弾性部材３２によりラッチ受け具５と係合する方向に向けて付勢されてラッチ挿入孔３０の内周一面に当接し、ラッチ受け具５と係合する係合位置に保持される。
【００３１】
ラッチ２８の支点軸２３側の後端部の一側には、図６に示すように、ハンドル２４を引き寄せ解除位置まで揺動させた際、ハンドル２４の揺動中心側の一側部が係合する係合突起３３が設けられており、引き寄せ解除位置のハンドル２４を解錠位置まで揺動させると、ハンドル２４の揺動中心側の一側部が係合突起３３を押圧し、ラッチ２８が係合解除位置に向けて揺動するようになっている。
【００３２】
実施の形態で示すラッチハンドル装置は上記の構造からなり、図４はハンドル２４が施錠位置に配置された状態を示し、ラッチ２８の鉤部２９がラッチ受け具５の係合片部５ａに係合し、扉３は閉鎖状態とされている。
【００３３】
図４に示す状態から指先挿入凹部２０に指先を挿入し、その指先をハンドル２４に係合して、ハンドル２４を外部に向けて引くと、カムレバー２５の先端のローラ２７がラッチ組込み用凹部２１の底壁に沿って転がり移動し、その移動に伴って支点軸２３が長孔２２の奥側の端部に向けて移動する。
【００３４】
また、支点軸２３の長孔２２に沿っての移動により、ラッチ２８が長さ方向に移動して扉３の引き寄せを解除する。図５および図６は、ハンドル２４が引き寄せ解除位置まで揺動された状態を示し、その引き寄せ解除位置において、ハンドル２４の揺動中心側の一側部がラッチ２８の一側部に設けられた係合突起３３に係合する。
【００３５】
引き寄せ解除位置のハンドル２４をさらに同方向に引き込んで解錠位置に向けて揺動させると、ハンドル２４の揺動中心側の一側部がラッチ２８の係合突起３３を押圧する。その押圧により、ラッチ２８が係合解除位置に向けて揺動する。
【００３６】
図７は、ハンドル２４を解錠位置まで揺動させた状態を示し、ラッチ２８はラッチ受け具５に対して係合解除し、その係合解除によって扉３を開放させることができる。
【００３７】
開放状態の扉３の戸先側を筐体１側に向けて押圧して、扉３を閉鎖方向に揺動させると、その扉３が閉鎖状態とされる少し手前の位置でラッチ２８の先端の鉤部２９がラッチ受け具５の係合片部５ａの先端に設けられた弧状部に当接し、その当接によりラッチ２８は弾性部材３２の弾性に抗して係合解除方向に揺動する。ラッチ２８の鉤部２９が係合片部５ａの位置を通過すると、弾性部材３２の復元弾性により、ラッチ２８が係合方向に揺動し、図６に示すように、鉤部２９がラッチ受け具５の係合片部５ａに係合し、扉３は閉鎖状態とされる。
【００３８】
一方、ハンドル２４は、図５に示すように、ラッチ組込み用凹部２１の底壁に対するローラ２７の当接によって引き寄せ解除位置に保持される。
【００３９】
図６に示す扉３の閉鎖状態において、引き寄せ解除位置に保持されているハンドル２４を押し込んで施錠位置に向けて揺動させると、ハンドル２４におけるカムレバー２５の先端のローラ２７がラッチ組込み用凹部２１の底壁に沿って転がり移動しつつ底壁を押圧し、その押圧により扉３が筐体１側に引き込まれてパッキン４を押圧する。その押圧によりパッキン４が圧縮変形して扉３の内面に強く接触し、扉３との間でシール性が確保される。図３および図４はシール性が確保された状態を示す。
【００４０】
以上のように、実施の形態で示すラッチハンドル装置においては、扉３を閉鎖位置に揺動させた状態で引き寄せ解除位置に位置するハンドル２４を押圧して施錠位置に向けて揺動させることにより、扉３に筐体１側に向けての引き寄せ力を負荷することができるため、扉３を閉鎖する際、その扉３でパッキン４を圧縮変形させる必要がなくなり、扉３を軽い力で閉鎖させることができる。
【００４１】
また、図３に示すハンドル２４の施錠状態で、ローラ２７の回転中心と支点軸２３の軸心を結ぶ直線Ｌのハンドル２４に対する交差角αが９０°を超える大きさとされているため、ハンドル２４は施錠位置で保持される。
【００４２】
実施の形態においては、支点軸２３を縦向きとなるようにして扉３にケース１４を組み込むようにした使用例を示したが、支点軸２３を横向きとなるようにして扉３にケース１４を組み込む使用としてもよい。
【符号の説明】
【００４３】
１    筐体
２    開口部
５    ラッチ受け具
１４  ケース
１６  周壁
２０  指先挿入用の凹部
２１  ラッチ組込み用の凹部
２２  長孔
２３  支点軸
２４  ハンドル
２５  カムレバー
２７  ローラ
２８  ラッチ
２９  鉤部
３０  ラッチ挿入孔
３２  弾性部材
【図１】
0006407777.tif 000002
【図２】
0006407777.tif 000003
【図３】
0006407777.tif 000004
【図４】
0006407777.tif 000005
【図５】
0006407777.tif 000006
【図６】
0006407777.tif 000007
【図７】
0006407777.tif 000008
【図８】
0006407777.tif 000009